【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）がサブフレームにおける物理ＵＬデータチャネル（ＰＵＳＣＨ）上でデータを送信する方法であって、
第１の電力制御プロセスに関連する第１の情報と第２の電力制御プロセスに関連する第２の情報とを受信するステップと、
前記サブフレームが第１のサブフレームセットに属する場合に前記第１の電力制御プロセスを用いて前記サブフレームでＰＵＳＣＨ送信のための第１の電力を決定するステップと、
前記サブフレームが第２のサブフレームセットに属する場合に前記第２の電力制御プロセスを用いて前記サブフレームで前記ＰＵＳＣＨ送信のための第２の電力を決定するステップと、
前記決定された第１の電力又は第２の電力で前記ＰＵＳＣＨ上で前記データを送信するステップと、を含むことを特徴とするデータ送信方法。
【請求項２】
前記第１の情報又は前記第２の情報は、セル固有成分
【数１】
2016519476.tif 000001
、ＵＥ固有成分
【数２】
2016519476.tif 000002
、また、前記第１の電力制御プロセス又は前記第２の電力制御プロセスのための電力制御パラメータとして開ループ電力制御のためのパラメータ（αc）を各々含むことを特徴とする請求項１に記載のデータ送信方法。
【請求項３】
前記ＵＥは、前記サブフレームが前記第１のサブフレームセットにある場合に前記第１の電力制御プロセスのための第１の閉ループ電力制御又は前記サブフレームが前記第２のサブフレームセットにある場合に前記第２の電力制御プロセスのための第２の閉ループ電力制御のためのパラメータ（fc）を含む情報を受信することを特徴とする請求項１又は請求項２に記載のデータ送信方法。
【請求項４】
前記第１のサブフレームセットと前記第２のサブフレームセットを示す情報を受信するステップをさらに含むことを特徴とする請求項１乃至請求項３のうち何れか一項に記載のデータ送信方法。
【請求項５】
前記方法は、サウンディング参照信号（ＳＲＳ）を送信するためにさらに適用されることを特徴とする請求項１乃至請求項４のうち何れか一項に記載のデータ送信方法。
【請求項６】
前記ＰＵＳＣＨでチャンネル状態情報の送信のためのリソースを決定するための第１のオフセット情報と第２のオフセット情報を受信するステップをさらに含むことを特徴とする請求項１乃至請求項５のうち何れか一項に記載のデータ送信方法。
【請求項７】
前記サブフレームが前記第１のサブフレームセットにある場合に第１の変調及びコーディング方式（ＭＣＳ）セットからＭＣＳを用いるか又は前記サブフレームが前記第２のサブフレームセットにある場合に第２のＭＣＳセットからＭＣＳを用いて前記ＰＵＳＣＨ上で前記データを送信するステップをさらに含むことを特徴とする請求項１乃至請求項６のうち何れか一項に記載のデータ送信方法。
【請求項８】
サブフレームにおける物理ＵＬデータチャネル（ＰＵＳＣＨ）上でデータを送信するユーザ装置（ＵＥ）であって、
信号を送信又は受信するための送受信器と、
第１の電力制御プロセスに関連する第１の情報と第２の電力制御プロセスに関連する第２の情報を受信し、
前記サブフレームが第１のサブフレームセットに属する場合に前記第１の電力制御プロセスを用いて前記サブフレームでＰＵＳＣＨ送信のための第１の電力を決定し、
前記サブフレームが第２のサブフレームセットに属する場合に前記第２の電力制御プロセスを用いて前記サブフレームで前記ＰＵＳＣＨ送信のための第２の電力を決定し、
前記決定された第１の電力又は第２の電力で前記ＰＵＳＣＨ上で前記データを送信することを制御する制御器と、を含むことを特徴とするユーザ装置。
【請求項９】
前記第１の情報又は前記第２の情報はセル固有成分
【数３】
2016519476.tif 000003
、ＵＥ固有成分
【数４】
2016519476.tif 000004
、また、前記第１の電力制御プロセス又は前記第２の電力制御プロセスのための電力制御パラメータとして開ループ電力制御のためのパラメータ（αc）を各々含むことを特徴とする請求項８に記載のユーザ装置。
【請求項１０】
前記制御器は、前記サブフレームが前記第１のサブフレームセットにある場合に前記第１の電力制御プロセスのための第１の閉ループ電力制御又は前記サブフレームが前記第２のサブフレームセットにある場合に前記第２の電力制御プロセスのための第２の閉ループ電力制御のためのパラメータ（fc）を含む情報を受信することを制御するようにさらに構成されることを特徴とする請求項８又は請求項９に記載のユーザ装置。
【請求項１１】
前記制御器は、前記第１のサブフレームセットと前記第２のサブフレームセットを示す情報を受信することを制御するようにさらに構成されることを特徴とする請求項８乃至請求項１０のうち何れか一項に記載のユーザ装置。
【請求項１２】
前記制御器は、前記ＰＵＳＣＨ送信で用いられる同一の方法でサウンディング参照信号（ＳＲＳ）を送信することを制御するようにさらに構成されることを特徴とする請求項８乃至請求項１１のうち何れか一項に記載のユーザ装置。
【請求項１３】
前記制御器は、前記ＰＵＳＣＨ上でチャンネル状態情報の送信のためのリソースを決定するために第１のオフセット情報と第２のオフセット情報を受信し、
前記サブフレームが前記第１のサブフレームセットにある場合に前記第１のオフセット情報を用いるか又は前記サブフレームが前記第２のサブフレームセットにある場合に前記第２のオフセット情報を用いて前記チャンネル状態情報を送信することを制御するようにさらに構成されることを特徴とする請求項８乃至請求項１２のうち何れか一項に記載のユーザ装置。
【請求項１４】
前記制御器は、前記サブフレームが前記第１のサブフレームセットにある場合に第１の変調及びコーディング方式（ＭＣＳ）セットからＭＣＳを用いるか又は前記サブフレームが前記第２のサブフレームセットにある場合に第２のＭＣＳセットからＭＣＳを用いて前記ＰＵＳＣＨ上で前記データを送信することを制御するようにさらに構成されることを特徴とする請求項８乃至請求項１３のうち何れか一項に記載のユーザ装置。
【請求項１５】
基地局がサブフレームにおける物理ＵＬデータチャネル（ＰＵＳＣＨ）上でデータを受信する方法であって、
第１の電力制御プロセスに関連する第１の情報と第２の電力制御プロセスに関連する第２の情報を送信するステップと、
第１の電力又は第２の電力で前記ＰＵＳＣＨ上で送信された前記データを受信するステップと、を含み、
前記第１の電力は、前記サブフレームが第１のサブフレームセットに属する場合に前記第１の電力制御プロセスを用いて前記サブフレームでＰＵＳＣＨ送信のためにユーザ装置（ＵＥ）で決定され、
前記第２の電力は、前記サブフレームが第２のサブフレームセットに属する場合に前記第２の電力制御プロセスを用いて前記サブフレームで前記ＰＵＳＣＨ送信のために前記ＵＥで決定されることを特徴とするデータ受信方法。
【請求項１６】
前記第１の情報又は前記第２の情報は、セル固有成分
【数５】
2016519476.tif 000005
、ＵＥ固有成分
【数６】
2016519476.tif 000006
、また、前記第１の電力制御プロセス又は前記第２の電力制御プロセスのための電力制御パラメータとして開ループ電力制御のためのパラメータ（αc）を各々含むことを特徴とする請求項１５に記載のデータ受信方法。
【請求項１７】
前記基地局は、前記サブフレームが前記第１のサブフレームセットにある場合に前記第１の電力制御プロセスのための第１の閉ループ電力制御又は前記サブフレームが前記第２のサブフレームセットにある場合に前記第２の電力制御プロセスのための第２の閉ループ電力制御のためのパラメータ（fc）を含む情報をさらに送信することを特徴とする請求項１５又は請求項１６に記載のデータ受信方法。
【請求項１８】
前記基地局は、前記第１のサブフレームセットと前記第２のサブフレームセットを示す情報をさらに送信することを特徴とする請求項１５乃至請求項１７のうち何れか一項に記載のデータ受信方法。
【請求項１９】
前記方法はサウンディング参照信号（ＳＲＳ）を受信するためにさらに適用されることを特徴とする請求項１５乃至請求項１８のうち何れか一項に記載のデータ受信方法。
【請求項２０】
前記ＰＵＳＣＨ上でチャンネル状態情報の送信のためのリソースを決定するために第１のオフセット情報と第２のオフセット情報を受信するステップと、
前記サブフレームが前記第１のサブフレームセットにある場合に前記第１のオフセット情報を用いるか又は前記サブフレームが前記第２のサブフレームセットにある場合に前記第２のオフセット情報を用いて前記チャンネル状態情報を受信するステップをさらに含むことを特徴とする請求項１５乃至請求項１９のうち何れか一項に記載のデータ受信方法。
【請求項２１】
前記サブフレームが前記第１のサブフレームセットにある場合に第１の変調及びコーディング方式（ＭＣＳ）セットからＭＣＳを用いるか又は前記サブフレームが前記第２のサブフレームセットにある場合に第２のＭＣＳセットからＭＣＳを用いて前記ＰＵＳＣＨ上で前記データを受信するステップをさらに含むことを特徴とする請求項１５乃至請求項２０のうち何れか一項に記載のデータ受信方法。
【請求項２２】
サブフレームにおける物理ＵＬデータチャネル（ＰＵＳＣＨ）上でデータを受信する基地局であって、
信号を送信又は受信するための送受信器と、
第１の電力制御プロセスに関連する第１の情報と第２の電力制御プロセスに関連する第２の情報を送信し、
第１の電力又は第２の電力で前記ＰＵＳＣＨ上で送信された前記データを受信することを制御する制御器と、を含み、
前記第１の電力は、前記サブフレームが第１のサブフレームセットに属する場合に前記第１の電力制御プロセスを用いて前記サブフレームでＰＵＳＣＨ送信のためにユーザ装置（ＵＥ）で決定され、
前記第２の電力は、前記サブフレームが第２のサブフレームセットに属する場合に前記第２の電力制御プロセスを用いて前記サブフレームで前記ＰＵＳＣＨ送信のために前記ＵＥで決定されることを特徴とする基地局。
【請求項２３】
前記第１の情報又は前記第２の情報は、セル固有成分
【数７】
2016519476.tif 000007
、ＵＥ固有成分
【数８】
2016519476.tif 000008
、また、前記第１の電力制御プロセス又は前記第２の電力制御プロセスのための電力制御パラメータとして開ループ電力制御のためのパラメータ（αc）を各々含むことを特徴とする請求項２２に記載の基地局。
【請求項２４】
前記制御器は、前記サブフレームが前記第１のサブフレームセットにある場合に前記第１の電力制御プロセスのための第１の閉ループ電力制御又は前記サブフレームが前記第２のサブフレームセットにある場合に前記第２の電力制御プロセスのための第２の閉ループ電力制御のためのパラメータ（fc）を含む情報を送信することを制御するようにさらに構成されることを特徴とする請求項２２又は請求項２３に記載の基地局。
【請求項２５】
前記制御器は、前記第１のサブフレームセットと前記第２のサブフレームセットを示す情報を送信することを制御するようにさらに構成されることを特徴とする請求項２２乃至請求項２４のうち何れか一項に記載の基地局。
【請求項２６】
前記制御器は、前記ＰＵＳＣＨ受信で使用される同一の方法でサウンディング参照信号（ＳＲＳ）を受信することを制御するようにさらに構成されることを特徴とする請求項２２乃至請求項２５のうち何れか一項に記載の基地局。
【請求項２７】
前記制御器は、前記ＰＵＳＣＨ上でチャンネル状態情報の送信のためのリソースを決定するために第１のオフセット情報と第２のオフセット情報を受信し、
前記サブフレームが前記第１のサブフレームセットにある場合に前記第１のオフセット情報を用いるか又は前記サブフレームが前記第２のサブフレームセットにある場合に前記第２のオフセット情報を用いて前記チャンネル状態情報を受信することを制御するようにさらに構成されることを特徴とする請求項２２乃至請求項２６のうち何れか一項に記載の基地局。
【請求項２８】
前記制御器は、前記サブフレームが前記第１のサブフレームセットにある場合に第１の変調及びコーディング方式（ＭＣＳ）セットからＭＣＳを用いるか又は前記サブフレームが前記第２のサブフレームセットにある場合に第２のＭＣＳセットからＭＣＳを用いて前記ＰＵＳＣＨ上で前記データを受信することを制御するようにさらに構成されることを特徴とする請求項２２乃至請求項２７のうち何れか一項に記載の基地局。